(57)【要約】【課題】記録媒体のタイプの選択ミスを防止することが可能なアダプタ、印刷装置を提供すること。【解決手段】記録媒体１００のタイプに対応する嵌合部８３を有し、ディスクトレイの窪み部に嵌め込まれた状態で、嵌合部８３に記録媒体１００が嵌め込まれるアダプタ８０であり、嵌合部８３に嵌め込まれる記録媒体１００のタイプに関する情報が記録されている情報記録部８４を有している。また、嵌合部８３は、外観が円盤形状の本体部８１に設けられていて、嵌合部８３は記録媒体１００のタイプに対応した嵌め込みを可能としている。また、本体部８１には、径方向外方に向かって延伸する位置決め突起８２が連接されている。【選択図】  図３
2004338338.tif 000002
【特許請求の範囲】
【請求項１】
特定の記録媒体のタイプに対応する嵌合部を有し、ディスクトレイの窪み部に嵌め込まれた状態で、上記嵌合部に上記記録媒体を嵌め込むためのアダプタにおいて、
上記嵌合部に嵌め込まれる上記記録媒体のタイプに関する情報が記録され、外部の取得手段によって、当該情報が読み取られる情報記録部を有することを特徴とするアダプタ。
【請求項２】
前記嵌合部は、前記窪み部のうち円形凹部に嵌め込まれると共に、外観が円盤形状である本体部に設けられていて、
該嵌合部は、大円盤メディア以外の前記特定の記録媒体のタイプに対応した嵌め込みを可能としていて、
上記本体部には、前記窪み部の位置決め凹部に嵌め込まれると共に、該本体部から径方向外方に向かって延伸する位置決め突起が連接していることを特徴とする請求項１記載のアダプタ。
【請求項３】
前記情報記録部は、該情報記録部以外の他の部分と、外観上区別可能なマーキングであることを特徴とする請求項１又は２記載のアダプタ。
【請求項４】
前記マーキングは、該マーキング以外の部分と着色が異なる塗布部を有することを特徴とする請求項３記載のアダプタ。
【請求項５】
前記塗布部は、リング状であり、このリング状の塗布部の個数によって、前記嵌合部に嵌め込まれる前記記録媒体のタイプが認識されることを特徴とする請求項４記載のアダプタ。
【請求項６】
前記マーキングは、パンチ部から構成されていることを特徴とする請求項３記載のアダプタ。
【請求項７】
前記マーキングは、バーコードから構成されていることを特徴とする請求項３記載のアダプタ。
【請求項８】
前記嵌合部は、小円盤メディア、名刺型メディア、および樽型メディアの少なくとも１つに対応していることを特徴とする請求項１から７のいずれか１項に記載のアダプタ。
【請求項９】
印刷面を有する記録媒体を送りガイド部材に載置し、この送りガイド部材に記録媒体が載置された状態で、記録媒体に印刷情報を印刷する印刷装置において、
上記送りガイド部材に設けられている上記記録媒体のタイプに関する情報を記録している情報記録部と、
上記情報記録部に記録されている上記記録媒体のタイプに関する情報を取得する取得手段と、
上記取得手段で取得された上記記録媒体のタイプに関する情報と、上記印刷面に印刷する印刷情報とに基づいて、上記記録媒体の印刷面に対して印刷を実行する印刷手段と、
を具備することを特徴とする印刷装置。
【請求項１０】
前記取得手段によって取得された前記記録媒体のタイプに関する情報は、送信手段によって外部に接続されたコンピュータに送信され、
前記コンピュータから送信される前記印刷情報は、受信手段によって受信されると共に、
前記印刷手段は、上記受信手段によって受信された印刷情報に基づいて、前記記録媒体の前記印刷面に対して印刷が実行されることを具備することを特徴とする請求項９記載の印刷装置。
【請求項１１】
前記印刷面に印刷する印刷情報が、印刷情報作成手段によって作成されると共に、
前記印刷手段は、上記取得手段で取得された上記記録媒体のタイプに関する情報と、上記印刷情報作成手段によって作成された上記印刷情報とに基づいて、上記記録媒体の印刷面に対して印刷を実行することを特徴とする請求項９記載の印刷装置。
【請求項１２】
前記送りガイド部材は、
窪み部を有し、この窪み部が円形凹部およびこの円形凹部から径方向外方に向かって延伸する位置決め凹部を具備するディスクトレイと、
請求項１から８のいずれか１項に記載されているアダプタと、
を有することを特徴とする請求項９から１１のいずれか１項に記載の印刷装置。
【請求項１３】
前記円形凹部は、その外径が前記記録媒体のうち大円盤メディアに対応していて、この大円盤メディアに印刷を行う場合には、前記アダプタを用いないで該大円盤メディアを円形凹部に嵌め込むと共に、
該大円盤メディアより小さく、かつ該大円盤メディア以外のタイプの前記記録媒体に印刷を行う場合には、該記録媒体のタイプに対応している前記アダプタを前記窪み部に嵌め込み、この窪み部への嵌め込みの後に適切なタイプの前記記録媒体を、該嵌合部に嵌め込むことを特徴とする請求項１２記載の印刷装置。
【請求項１４】
前記記録媒体のタイプに関する情報は、前記アダプタの他の部分と区別可能なマーキングであると共に、前記取得手段は、このマーキングを読み取り可能な光学センサであることを特徴とする請求項９から１３のいずれか１項に記載の印刷装置。
【請求項１５】
前記取得手段は、前記塗布部の個数によって、前記嵌合部に嵌め込まれる前記記録媒体のタイプを認識することを特徴とする請求項９から１４のいずれか１項に記載の印刷装置。
【請求項１６】
印刷面を有する記録媒体を送りガイド部材に載置した状態で、記録媒体に印刷情報を印刷させるための処理を、印刷装置に対して実行させる印刷用コンピュータプログラムにおいて、
上記送りガイド部材に記録されている上記記録媒体のタイプに関する情報を取得する取得手段、
上記取得手段で取得された上記記録媒体のタイプに関する情報と、上記印刷面に印刷する印刷情報とに基づいて、上記記録媒体の印刷面に対して印刷を実行する印刷手段、
として機能させる印刷用コンピュータプログラム。
【請求項１７】
印刷面を有する記録媒体を送りガイド部材に載置した状態で、記録媒体に印刷情報を印刷する印刷装置と、上記印刷装置に接続されているコンピュータとを有する印刷用コンピュータシステムにおいて、
上記印刷装置を、
上記送りガイド部材に記録されている上記記録媒体のタイプに関する情報を取得する取得手段、
上記取得手段によって取得された上記記録媒体のタイプに関する情報を、上記コンピュータに送信する送信手段、
上記コンピュータから送信される上記記録媒体の印刷に関する印刷情報を受信する受信手段、
上記受信手段で受信した上記印刷情報に応じて、上記記録媒体の印刷面に対して印刷を実行する印刷手段、
として機能させ、
上記コンピュータを、
上記送信手段から送信されてきた上記記録媒体のタイプに関する情報を受信する第２の受信手段、
上記第２の受信手段で受信した上記記録媒体のタイプに関する情報と、上記記録媒体のタイプに関する設定情報とが一致するか否かを判別する判別手段、
上記印刷面に印刷する印刷情報を作成する印刷情報作成手段、
上記印刷情報作成手段で作成された印刷情報を、上記送信手段に送信する第２の送信手段、
として機能させる印刷用コンピュータシステム。
【請求項１８】
印刷面を有する記録媒体を送りガイド部材に載置した状態で、記録媒体に印刷情報を印刷させるための処理を、印刷装置に対して実行させる印刷方法において、
上記送りガイド部材に記録されている上記記録媒体のタイプに関する情報を取得する取得ステップと、
上記取得手段で取得された上記記録媒体のタイプに関する情報と、上記印刷面に印刷する印刷情報とに基づいて、上記記録媒体の印刷面に対して印刷を実行する印刷ステップと、
を具備することを特徴とする印刷方法。
【発明の詳細な説明】
【０００１】
【発明の属する技術分野】
本発明は、アダプタ、印刷装置、印刷用コンピュータプログラムおよび印刷用コンピュータシステムに関する。
【０００２】
【従来の技術】
インクジェット式の印刷装置においては、近年、ＣＤ−Ｒ（Ｃｏｍｐａｃｔ  Ｄｉｓｋ−Ｒｅｃｏｒｄａｂｌｅ）等の記録媒体にも印刷可能なタイプが存在する。このタイプの印刷装置は、記録媒体の情報記録面と反対側の面（印刷面；一般にレーベル面という。）に印刷する。レーベル面には、白色等の部材が塗布されていて、この面には任意の図形および文字の印刷が可能である。
【０００３】
このレーベル面に対して印刷を実行する場合、ディスクトレイが用いられる。ディスクトレイには、直径が１２ｃｍのサイズの記録媒体を嵌め込むための窪み部が設けられている。また、記録媒体のサイズが、直径１２ｃｍのサイズよりも小さい場合、記録媒体のサイズに対応するアダプタを窪み部に嵌め込み、その後にアダプタの嵌合部に対して記録媒体を嵌め込む必要がある。
【０００４】
また、特許文献１（特開平３−２９２１７５号公報）には、記録用紙（印刷対象物）のサイズを、記録用紙サイズ設定手段で入力し、入力された記録用紙のサイズと、印刷フォーマットデータにより指定のサイズとを比較し、この比較によってサイズが不一致となる場合に、警報を発する構成が開示されている。
【０００５】
さらに、特許文献２（特開２００２−１２７５２０）には、ＣＤ−Ｒ等の光ディスクに直接印刷を行うインクジェット式印刷装置に関して、光ディスクが有する厚みによって、乱反射が生じた場合でも、正確に用紙送りにおける位置決めを行うことができる構成が開示されている。
【０００６】
【特許文献１】
特開平３−２９２１７５号公報（特許請求の範囲、第７図等参照）
【特許文献２】
特開２００２−１２７５２０号公報（段落番号００１３等参照）
【０００７】
【発明が解決しようとする課題】
ところで、ＣＤ−Ｒ等の記録媒体には、直径が１２ｃｍのサイズのみならず、直径が８ｃｍのサイズ等、種々のサイズがある。また、形状およびサイズが名刺型である記録媒体、形状が樽型である記録媒体等もある。そのため、記録媒体に印刷する場合には、印刷装置に接続されるコンピュータ側のドライバソフトにおいて、適切なサイズ、形状の記録媒体が選択されている必要がある。しかしながら、ユーザの選択ミス、あるいは不注意等の理由で、誤った形状またはサイズの記録媒体が選択された状態で印刷を実行すると、記録媒体が無駄になるという問題が生じる。
【０００８】
また、同じ形状またはサイズの記録媒体に印刷する場合であって、レーベル面における印刷範囲が異なる場合もある。しかし、現状では、記録媒体の形状またはサイズの選択ができるに留まり、当該印刷範囲の詳細な設定ができない場合が多い。
【０００９】
また、特許文献１には、印刷対象物が記録用紙の場合のサイズ不一致に関する構成について開示されている。この特許文献１においては、記録用紙の幅は側板のスライドによって検出され、記録用紙の長さは記録用紙長さ設定器で設定される。そのため、レーベル面印刷の場合のように、一定幅のディスクトレイに種々のサイズおよび形状の記録媒体が載置される場合には、側板をスライドさせてもディスクトレイの幅が検出されるのみで、記録媒体のサイズおよび形状を検出できないという問題がある。
【００１０】
また、特許文献２記載の構成には、乱反射が生じた場合でも、正確に用紙送りにおける位置決めができる構成が、開示されている。しかしながら、ディスクトレイに搭載されている記録媒体のサイズおよび形状を一切検出することができず、選択が誤ったサイズ、または形状の記録媒体に印刷するという、印刷ミスは防げない。
【００１１】
本発明は上記の事情にもとづきなされたもので、その目的とするところは、記録媒体のタイプの選択ミスを防止することが可能なアダプタ、印刷装置、印刷用コンピュータプログラムおよび印刷用コンピュータシステムを提供しよう、とするものである。
【００１２】
【課題を解決するための手段】
上記課題を解決するために、本発明は、特定の記録媒体のタイプに対応する嵌合部を有し、ディスクトレイの窪み部に嵌め込まれた状態で、嵌合部に記録媒体を嵌め込むためのアダプタにおいて、嵌合部に嵌め込まれる記録媒体のタイプに関する情報が記録され、外部の取得手段によって、当該情報が読み取られる情報記録部を有するものである。
【００１３】
このため、情報記録部に記録されている、特定の記録媒体のタイプに関する情報を読み取ることで、嵌合部に嵌め込まれる記録媒体のタイプを認識可能となる。そして、印刷装置が記録媒体のタイプに関する情報を得ることで、該記録媒体の印刷面に対して、適切な印刷を実行させることが可能となる。
【００１４】
また、他の発明は、上述の発明に加えて更に、嵌合部は、窪み部のうち円形凹部に嵌め込まれると共に、外観が円盤形状である本体部に設けられていて、該嵌合部は、大円盤メディア以外の特定の記録媒体のタイプに対応した嵌め込みを可能としていて、本体部には、窪み部の位置決め凹部に嵌め込まれると共に、該本体部から径方向外方に向かって延伸する位置決め突起が連接しているものである。
【００１５】
このため、アダプタをディスクトレイに嵌め込む場合、本体部が円形凹部に嵌め込まれると共に、位置決め突起が位置決め凹部に嵌め込まれる。この位置決め凹部への位置決め突起の嵌め込みによって、アダプタの窪み部の内部における回転が防止される。それにより、アダプタの回転により情報記録部がずれるのを防止でき、アダプタにおける情報記録部の位置を定位置とすることができる。
【００１６】
さらに、他の発明は、上述の各発明に加えて更に、情報記録部は、該情報記録部以外の他の部分と、外観上区別可能なマーキングとしたものである。このようにすると、マーキングが他の部分と簡単に区別できる。また、マーキングの存在によって、アダプタのタイプ（対応する記録媒体のタイプ）を判別可能となる。また、情報記録部が簡単な構成で済む。
【００１７】
また、他の発明は、上述の各発明に加えて更に、マーキングは、該マーキング以外の部分と着色が異なる塗布部を有するものである。このように、マーキングが塗布部を有する場合、着色によってマーキングを形成可能となり、該マーキングが一層簡単な構成となる。
【００１８】
また、他の発明は、上述の各発明に加えて更に、塗布部は、リング状であり、このリング状の塗布部の個数によって、嵌合部に嵌め込まれる記録媒体のタイプが認識されるものである。このようにすると、光学センサが印刷装置の主走査方向、および副走査方向のいずれの方向に移動した場合でも、記録媒体のタイプを該光学センサによって認識することが可能となる。
【００１９】
さらに、他の発明は、上述の各発明に加えて更に、マーキングは、パンチ部から構成されるものである。このようにした場合も、マーキングを簡単に形成可能となる。また、マーキングが一層簡単な構成となる。
【００２０】
また、他の発明は、上述の各発明に加えて更に、マーキングは、バーコードから構成されるものである。このようにすると、マーキングに記録媒体のタイプに関する様々な情報をもたせることができる。
【００２１】
さらに、他の発明は、上述の各発明に加えて更に、嵌合部は、小円盤メディア、名刺型メディア、および樽型メディアの少なくとも１つに対応しているものである。このように、アダプタは、各タイプの記録媒体のいずれか１つに対応している。そのため、各タイプの記録媒体のディスクトレイ上への載置を、良好にガイドすることができる。
【００２２】
また、他の発明は、印刷面を有する記録媒体を送りガイド部材に載置し、この送りガイド部材に記録媒体が載置された状態で、記録媒体に印刷情報を印刷する印刷装置において、送りガイド部材に設けられている記録媒体のタイプに関する情報を記録している情報記録部と、情報記録部に記録されている記録媒体のタイプに関する情報を取得する取得手段と、取得手段で取得された記録媒体のタイプに関する情報と、印刷面に印刷する印刷情報とに基づいて、記録媒体の印刷面に対して印刷を実行する印刷手段と、を具備するものである。
【００２３】
このため、情報記録部に記録されている、記録媒体のタイプに関する情報を取得手段が取得することで、送りガイド部材が対応している記録媒体のタイプを判別可能となる。そして、取得された記録媒体のタイプに関する情報と、印刷面に印刷する印刷情報とに基づいて、印刷手段を作動させれば、記録媒体のタイプに応じた適切な印刷を実行させることができる。
【００２４】
さらに、他の発明は、上述の発明に加えて更に、取得手段によって取得された記録媒体のタイプに関する情報は、送信手段によって外部に接続されたコンピュータに送信され、コンピュータから送信される印刷情報は、受信手段によって受信されると共に、印刷手段は、受信手段によって受信された印刷情報に基づいて、記録媒体の印刷面に対して印刷が実行されるものである。
【００２５】
このため、取得手段によって取得された記録媒体のタイプに関する情報は、送信手段によりコンピュータ側に送信される。それにより、コンピュータ側では、記録媒体のタイプに応じた、適切な印刷情報を作成することができる。また、コンピュータ側で作成された印刷情報は、印刷手段で受信される。そして、コンピュータ側で作成された印刷情報に基づいて、印刷手段を作動させれば、記録媒体のタイプに応じた適切な印刷を実行させることができる。
【００２６】
また、他の発明は、上述の発明に加えて更に、印刷面に印刷する印刷情報が、印刷情報作成手段によって作成されると共に、印刷手段は、取得手段で取得された記録媒体のタイプに関する情報と、印刷情報作成手段によって作成された印刷情報とに基づいて、記録媒体の印刷面に対して印刷を実行するものである。
【００２７】
このため、印刷面に印刷する印刷情報は、印刷情報作成手段によって作成される。そして、取得手段で取得された記録媒体のタイプに関する情報と、印刷情報作成手段で作成された印刷情報とに基づいて、印刷手段を作動させれば、記録媒体のタイプに応じた適切な印刷を実行させることができる。すなわち、例えば、コンピュータと接続されていない、スタンドアローン状態にある印刷装置においても、印刷面に対して適切な印刷を行うことができる。
【００２８】
さらに、他の発明は、上述の発明に加えて更に、送りガイド部材は、窪み部を有し、この窪み部が円形凹部およびこの円形凹部から径方向外方に向かって延伸する位置決め凹部を具備するディスクトレイと、上述の各発明に係るアダプタと、を有するものである。
【００２９】
このようにすることで、アダプタをディスクトレイに嵌め込む場合、本体部が円形凹部に嵌め込まれると共に、位置決め突起が位置決め凹部に嵌め込まれる。この位置決め凹部への位置決め突起の嵌め込みによって、ディスクトレイに対するアダプタの窪み部の内部における回転が防止される。
【００３０】
また、他の発明は、上述の各発明に加えて更に、円形凹部は、その外径が記録媒体のうち大円盤メディアに対応していて、この大円盤メディアに印刷を行う場合には、アダプタを用いないで該大円盤メディアを円形凹部に嵌め込むと共に、該大円盤メディアより小さく、かつ該大円盤メディア以外のタイプの記録媒体に印刷を行う場合には、該記録媒体のタイプに対応しているアダプタを窪み部に嵌め込み、この窪み部への嵌め込みの後に適切なタイプの記録媒体を、該嵌合部に嵌め込むものである。
【００３１】
このようにすると、大円盤メディアに対して印刷を行う場合には、アダプタを用いずに簡単に円形凹部に嵌め込める。それにより、現状では大円盤メディアが最も多く用いられていることから、ユーザ側にとっての利便性は向上する。また、大円盤メディア以外の記録媒体に対して印刷を行う場合には、アダプタをディスクトレイの窪み部に嵌め込み、その後にアダプタの嵌合部に、対応する記録媒体を嵌め込む。この場合も、対応するアダプタの嵌め込みだけで、ディスクトレイの窪み部における記録媒体の位置の固定が行える。
【００３２】
さらに、他の発明は、上述の各発明に加えて更に、記録媒体のタイプに関する情報は、アダプタの他の部分と区別可能なマーキングであると共に、取得手段は、このマーキングを読み取り可能な光学センサとしたものである。
【００３３】
このようにすると、マーキングが他の部分と簡単に区別できる。また、マーキングの存在によって、アダプタのタイプ（対応する記録媒体のタイプ）を判別可能となる。また、情報記録部が簡単な構成で済む。さらに、取得手段としての光学センサは、マーキングを他の部分と区別可能となる。
【００３４】
また、他の発明は、上述の各発明に加えて更に、塗布部の個数によって、嵌合部に嵌め込まれる記録媒体のタイプが認識されるものである。このようにすると、嵌め込まれる記録媒体のタイプの認識が単純となる。また、ユーザが塗布部の個数を数えることもでき、ユーザの視認によっても嵌め込まれる記録媒体のタイプを認識することができる。
【００３５】
さらに、他の発明は、印刷面を有する記録媒体を送りガイド部材に載置した状態で、記録媒体に印刷情報を印刷させるための処理を、印刷装置に対して実行させる印刷用コンピュータプログラムにおいて、送りガイド部材に記録されている記録媒体のタイプに関する情報を取得する取得手段、取得手段で取得された記録媒体のタイプに関する情報と、印刷面に印刷する印刷情報とに基づいて、記録媒体の印刷面に対して印刷を実行する印刷手段、として機能させるものである。
【００３６】
このため、このコンピュータプログラムは、夫々取得手段、および印刷手段として機能する。それにより、記録媒体のタイプに関する情報を取得手段が取得する動作を行え、送りガイド部材が対応している記録媒体のタイプを判別可能となる。また、印刷手段は、取得手段で取得された記録媒体のタイプに関する情報と、印刷面に印刷する印刷情報に基づいて、記録媒体のタイプに応じた適切な印刷を行うことが可能となる。
【００３７】
さらに、他の発明は、印刷面を有する記録媒体を送りガイド部材に載置した状態で、記録媒体に印刷情報を印刷する印刷装置と、印刷装置に接続されているコンピュータとを有する印刷用コンピュータシステムにおいて、印刷装置を、送りガイド部材に記録されている記録媒体のタイプに関する情報を取得する取得手段、取得手段によって取得された記録媒体のタイプに関する情報を、コンピュータに送信する送信手段、コンピュータから送信される記録媒体の印刷に関する印刷情報を受信する受信手段、受信手段で受信した印刷情報に応じて、記録媒体の印刷面に対して印刷を実行する印刷手段、として機能させ、コンピュータを、送信手段から送信されてきた記録媒体のタイプに関する情報を受信する第２の受信手段、第２の受信手段で受信した記録媒体のタイプに関する情報と、記録媒体のタイプに関する設定情報とが一致するか否かを判別する判別手段、印刷面に印刷する印刷情報を作成する印刷情報作成手段、印刷情報作成手段で作成された印刷情報を、送信手段に送信する第２の送信手段、として機能させるものである。
【００３８】
このように、印刷装置は、夫々取得手段、送信手段、受信手段、および印刷手段として機能する。それにより、記録媒体のタイプに関する情報を取得手段が取得する動作を行え、送りガイド部材が対応している記録媒体のタイプを判別可能となる。また、送信手段は、取得された記録媒体のタイプに関する情報をコンピュータ側に送信する動作を行える。
【００３９】
そして、コンピュータ側では、当該記録媒体のタイプに関する情報を、第２の受信手段で受信する。また、判別手段では、記録媒体のタイプに関する情報と、記録媒体のタイプに関する設定情報とが一致するか否かが判別される。そして、この判別結果に基づいて、印刷情報作成手段では、記録媒体のタイプに応じた、印刷面に印刷する適切な印刷情報を作成する。そして、この印刷情報が、第２の送信手段によって送信され、印刷装置側の受信手段は、コンピュータ側で設定された印刷情報を受信する動作を行える。そして、印刷手段は、受信された印刷情報に基づいて、記録媒体のタイプに応じた適切な印刷を行うことが可能となる。
【００４０】
また、他の発明は、印刷面を有する記録媒体を送りガイド部材に載置した状態で、記録媒体に印刷情報を印刷させるための処理を、印刷装置に対して実行させる印刷方法において、送りガイド部材に記録されている記録媒体のタイプに関する情報を取得する取得ステップと、取得手段で取得された記録媒体のタイプに関する情報と、印刷面に印刷する印刷情報とに基づいて、記録媒体の印刷面に対して印刷を実行する印刷ステップと、を具備するものである。
【００４１】
このため、この印刷方法では、記録媒体のタイプに関する情報を取得ステップで取得することができ、送りガイド部材が対応している記録媒体のタイプを判別可能となる。また、印刷ステップでは、取得ステップで取得された記録媒体のタイプに関する情報と、印刷面に印刷する印刷情報に基づいて、記録媒体のタイプに応じた適切な印刷を行うことが可能となる。
【００４２】
【発明の実施の形態】
以下、本発明の一実施の形態について、図１から図１６に基づいて説明する。まず、印刷用コンピュータシステム１０およびその構成要素たる印刷装置２０の概要について、図１を参照しつつ説明する。図１は、印刷装置の一例であるインクジェットプリンタ（以下、「プリンタ」と略記する）２０を備えた印刷用コンピュータシステム１０の概略構成図である。
【００４３】
図１に示すように、印刷用コンピュータシステム１０を構成するプリンタ２０は、紙送りモータ２１によってディスクトレイ７０を搬送する副走査送り機構と、キャリッジモータ２２によってキャリッジ３１を紙送りローラ２３の軸方向に往復動作させる主走査送り機構とを有している。ここで、副走査送り機構によるディスクトレイ７０の送り方向を副走査方向といい、主走査送り機構によるキャリッジ３１の移動方向を主走査方向という。
【００４４】
また、プリンタ２０は、キャリッジ３１に搭載され、印刷用ヘッド３２を備えた印刷ヘッドユニット３０と、この印刷ヘッドユニット３０を駆動してインクの吐出およびドット形成を制御するヘッド駆動機構（不図示）と、これらの紙送りモータ２１、キャリッジモータ２２、印刷ヘッドユニット３０および操作パネル４０との信号の送受信を司る制御回路５０とを備えている。
【００４５】
また、キャリッジ３１には、印刷ヘッドユニット３０以外に、７色のカートリッジ３３〜３９を搭載している。７色のカートリッジ３３〜３９は、それぞれＤＹ（ダークイエロー）用カートリッジ３３、ＬＭ（ライトマゼンタ）用カートリッジ３４、ＬＣ（ライトシアン）用カートリッジ３５、Ｋ（ブラック）用カートリッジ３６、Ｃ（シアン）用カートリッジ３７、Ｍ（マゼンタ）用カートリッジ３８、Ｙ（イエロー）用カートリッジ３９である。しかしながら、カートリッジ３３〜３９は、７色に限られるものではなく、４色等、他の種類のものであっても良い。
【００４６】
印刷手段の一部、取得手段の一部、送信手段の一部、および受信手段の一部である制御回路５０は、コネクタ６１を介してコンピュータ１１０に接続されている。同じく、第２の受信手段、判別手段、印刷情報作成手段、第２の送信手段の一部であるコンピュータ１１０は、プリンタ２０用のドライバーを搭載し、入力装置であるキーボード、あるいはマウス等の操作によるユーザの指令を受け付ける。また、コンピュータ１１０は、プリンタ２０における種々の情報を表示装置の画面表示によりに提示するユーザインターフェイスを構成している。
【００４７】
ディスクトレイ７０を搬送する副走査送り機構は、紙送りモータ２１の回転を紙送りローラ２３と用紙搬送ローラ（図示せず）とに伝達するギヤトレイン（図示せず）を備える。
【００４８】
また、キャリッジ３１を往復動させる主走査送り機構は、紙送りローラ２３の軸と並行に架設されキャリッジ３１を摺動可能に保持する摺動軸２４と、キャリッジモータ２２との間に無端の駆動ベルト２５を張設するプーリ２６と、後述するアダプタ８０のタイプおよび記録媒体１００のタイプを検出するための光学センサ２７とを備えている。
【００４９】
なお、以下の説明では、記録媒体１００のタイプは、該記録媒体１００の形状、サイズ、および印刷範囲といった要素により特定される概念であり、例えばＣＤ−Ｒ、ＤＶＤ−Ｒといった記録媒体１００の種類を問わない概念である。例えば、２枚の記録媒体１００において、これらの形状が同じでも、これらのサイズが異なると、これら２枚の記録媒体１００のタイプは異なる。また、例えば、２枚の記録媒体１００において、これらの形状およびサイズが同じでも、これらの印刷範囲が異なると、これら２枚の記録媒体１００のタイプは異なる。
【００５０】
取得手段の一部である光学センサ２７は、印刷用紙または記録媒体１００に対して光を投射するための光源（例えば、ＬＥＤ（Ｌｉｇｈｔ  Ｅｍｉｔｔｉｎｇ  Ｄｉｏｄｅ））と、印刷用紙または記録媒体１００によって反射されてきた光を電気信号に変換するための検出部（例えば、フォトダイオード）によって構成されている。
【００５１】
図２は、プリンタ２０を用いて印刷する際に使用されるディスクトレイ７０を示す図である。この図２に示すように、送りガイド部材の一部であるディスクトレイ７０は、全体の平面形状が略矩形となっている。このディスクトレイ７０は、薄型の板状部材（例えばプラスチックの薄板部材、ボール紙部材等）の本体部７１を有していて、プリンタ２０の内部の搬送路（不図示）における搬送性に優れている。
【００５２】
このディスクトレイ７０は、後述する大円盤メディア１００ａまたは後述するアダプタ８０を嵌め込むための、窪み部７２を有している。この窪み部７２は、円形凹部７３と位置決め凹部７４とから構成されている。これらのうち、円形凹部７３は、窪み部７２の主要部分であり、大円盤メディア１００ａまたは後述するアダプタ８０の本体部８１の嵌め込みが可能である。この円形凹部７３は、大円盤メディア１００ａまたはアダプタ８０の本体部を円形凹部７３に嵌め込んだ場合にずれないように、該大円盤メディア１００ａと略一致した外径を有している。
【００５３】
また、円形凹部７３の外周縁部から、窪み部７２を構成する位置決め凹部７４が延伸している。この位置決め凹部７４には、後述するアダプタ８０の位置決め突起８２が嵌め込まれる。それによって、後述するアダプタ８０は、ディスクトレイ７０に対して回転方向に向かって移動できない。
【００５４】
なお、本実施の形態では、ディスクトレイ７０は、２つの位置決め凹部７４を有している。また、２つの位置決め凹部７４の配置は、円形凹部７３の径方向の中心を挟んで、対称となる位置（角度が１８０度離れた位置）に設けられている。しかしながら、位置決め凹部７４の個数および配置は、アダプタ８０の全ての位置決め突起８２を該位置決め凹部７４に良好に嵌め込むことができるものであれば、どのようなものでも良い。
【００５５】
図３〜図５は、ディスクトレイ７０に嵌め込まれる、送りガイド部材の一部としてのアダプタ８０を示す平面図である。これら図３〜図５に示すアダプタ８０は、外観が円盤状の本体部８１と、この本体部８１から外径側に突出している位置決め突起８２と、を有している。また、本体部８１の中には、記録媒体１００を嵌め込む嵌合部８３が設けられている。この嵌合部８３は、本体部８１を貫通する部分であっても良く、本体部８１の上面から窪んだ部分であっても良い。また、位置決め突起８２は、ディスクトレイ７０の位置決め凹部７４に嵌め込まれる部分である。そのため、位置決め突起８２は、位置決め凹部７４に対応した形状と配置を有している。
【００５６】
アダプタ８０のうち、本体部８１は、円形凹部７３と略一致した外径を有している。すなわち、円形凹部７３にアダプタ８０が嵌め込まれた場合には、この本体部８１がその径方向にずれ難くなっている。このため、円形凹部７３の外径は、大円盤メディア１００ａの外径と略一致している。
【００５７】
なお、図２に示すように、ディスクトレイ７０は、略半円形状の位置決め凹部７４を有している。このため、図３〜図５に示すアダプタ８０は、略半円形状の位置決め突起８２を有している。また、アダプタ８０の本体部８１を、円形凹部７３の外径と一致させ、位置決め突起８２を位置決め凹部７４に
つっかえさせる構成を採用しても良い、このような構成を採用した場合も、アダプタ８０がディスクトレイ７０に対してずれ難くなる。
【００５８】
図３〜図５に例示されているように、アダプタ８０には、何種類ものタイプが存在する。いずれのタイプのアダプタ８０も、後述する大円盤メディア１００ａ以外のタイプの記録媒体１００の印刷時に、用いられる。本実施の形態では、アダプタ８０のタイプには、図３に示すような小円盤メディア１００ｂを嵌め込んで固定するタイプのアダプタ８０ａと、図４に示す名刺型メディア１００ｃを嵌め込んで固定するタイプのアダプタ８０ｂと、図５に示す樽型メディア１００ｄを嵌め込んで固定するタイプのアダプタ８０ｃとがある。しかしながら、記録媒体１００の形状に対応するものであれば、アダプタ８０はこれらに限られるものではない。
【００５９】
なお、本実施の形態では、アダプタ８０ａ，８０ｂ，８０ｃを総称するときは、単にアダプタ８０として、説明する。
【００６０】
各アダプタ８０には、情報記録部としてのマーキング８４が設けられている。マーキング８４は、アダプタ８０の種類に応じて、異なっている。その例としては、図３〜図６に示すように、小円盤メディア１００ｂを嵌め込むためのアダプタ８０ａでは、細長い矩形の塗布部８５が１つ（図３、図６（ａ）参照）、名刺型メディア１００ｃを嵌め込むためのアダプタ８０ｂでは該塗布部８５が２つ（図４、図６（ｂ）参照）、樽型メディア１００ｄを嵌め込むためのアダプタ８０ｃでは該塗布部８５が３つ（図５、図６（ｃ）参照）、主走査方向に並べられたものがある。また、塗布部８５は、例えば黒等の暗色系の色を有するディスクトレイ７０に対して、例えば白等の明色系の色を有している。
【００６１】
しかしながら、マーキング８４の形状、塗布部８５等の配置個数および配置間隔は、これらに限られない。例えば、細長い矩形の塗布部８５を、副走査方向に並べても良い。また、塗布部８５の色は、白等の明色系には限られず、例えばディスクトレイ７０が明色系の色（白等）を備えているときには、黒等の暗色系にするのが好ましい。
【００６２】
なお、塗布部８５の色は、色相、彩度、明度のうち少なくとも１つが、アダプタ８０のうち塗布部８５以外の部分の色と異なっていて、光学センサ２７で区別できる色であれば良い。また、塗布部８５の光沢度および透明度は、アダプタ８０のうちの塗布部８５以外の部分の光沢度および透明度と異なるようにしても良い。
【００６３】
また、アダプタ８０のタイプごとに、塗布部８５の色を相違させても良い。この場合には、塗布部８５の色の相違によって、記録媒体１００のタイプを区別することができる。
【００６４】
また、マーキング８４は、後述する図７に示すようなリング状の塗布部８６から構成されていても良い。その場合には、キャリッジ３１の光学センサ２７が主走査方向、および副走査方向のいずれの方向に移動した場合でも、該マーキング８４を読み取ることができる。なお、マーキング８４がリング状の塗布部８６から構成されている場合、その塗布部８６の個数によって、アダプタ８０のタイプ（記録媒体１００のタイプ）を判別するように構成しても良い。
【００６５】
なお、図７（ａ）には、リング状の塗布部８６が１つ設けられているマーキング８４（小円盤メディア１００ｂに対応させている）、図７（ｂ）には、リング状の塗布部８６が２つ設けられているマーキング８４（名刺型メディア１００ｃに対応させている）、図７（ｃ）には、リング状の塗布部８６が３つ設けられているマーキング８４（樽型メディア１００ｄに対応させている）が、夫々例示されている。
【００６６】
また、リング状の塗布部８６は、小径および大径のどちらに形成されていても良い。リング状の塗布部８６は、小径の場合には、例えば本体部８１の隅部にのみ存在する状態となる。また、リング状の塗布部８６は大径の場合には、本体部８１の嵌合部８３を囲むように存在する。また、リング状の塗布部８６の一部をカットして、半円状としたり、所定の長さの円弧状としても良い。
【００６７】
また、図８に示すように、マーキング８４は、バーコード８７から構成されていても良い。その場合、マーキング８４は、嵌め込まれる記録媒体１００のタイプに関する情報、位置決め突起８２に対する嵌合部の位置（角度）情報、およびアダプタ８０の種類／製造元に関する情報等、種々の情報を有する状態にすることができる。なお、バーコード８７は、主走査方向に配置しても良く、副走査方向に配置しても良い。また、バーコード８７は、嵌合部８３を囲むような、リング状としても良い。
【００６８】
また、図９に示すように、マーキング８４は、アダプタ８０に打刻された、またはアダプタ８０をくり抜いたパンチ部８８から構成されていても良い。この場合にも、該パンチ部８８の個数および配置により、該アダプタ８０の種類を判別可能となる。
【００６９】
なお、図９（ａ）には、パンチ部８８が１つ設けられているマーキング８４（小円盤メディア１００ｂに対応させている）、図９（ｂ）には、パンチ部８８が２つ設けられているマーキング８４（名刺型メディア１００ｃに対応させている）、図９（ｃ）には、パンチ部８８が３つ設けられているマーキング８４（樽型メディア１００ｄに対応させている）が、夫々例示されている。
【００７０】
また、マーキング８４は、文字８９（図１０参照）および図形９０（図１１参照）から構成されていても良い。この場合、文字８９および図形９０の個数、形態にアダプタ８０の種類を対応させておく。すると、文字８９および図形９０の個数、形態に応じて、該アダプタ８０の種類を判別可能となる。
【００７１】
なお、図１０（ａ）には、「Ａ」の文字８９が１つ設けられているマーキング８４（小円盤メディア１００ｂに対応させている）、図１０（ｂ）には、「Ａ」の文字８９が２つ設けられているマーキング８４（名刺型メディア１００ｃに対応させている）、図１０（ｃ）には、「Ａ」の文字８９が３つ設けられているマーキング８４（樽型メディア１００ｄに対応させている）が、夫々例示されている。
【００７２】
また、図１１（ａ）には、円形の図形９０からなるマーキング８４（小円盤メディア１００ｂに対応させている）、図１１（ｂ）には、三角形の図形９０からなるマーキング８４（名刺型メディア１００ｃに対応させている）、図１１（ｃ）には、四角形の図形９０からなるマーキング８４（樽型メディア１００ｄに対応させている）が、夫々例示されている。
【００７３】
また、図１２に示すように、マーキング８４は、アダプタ８０に貼り付けられたシール９１から構成されていても良い。その場合には、シール９１の貼り付けといった簡単な作業で、マーキング８４を形成することができる。なお、マーキング８４がシール９１から構成されている場合、シール９１が有する色、図形、文字等によって、記録媒体１００のタイプを区別できるようにしても良い。また、シール９１自体の長さ、形状、貼付個数、および貼付間隔等によって、記録媒体１００のタイプを区別できるようにしても良い。
【００７４】
なお、図１２（ａ）には、短い長さのシール９１からなるマーキング８４（小円盤メディア１００ｂに対応させている）、図１２（ｂ）には、中間の長さのシール９１からなるマーキング８４（名刺型メディア１００ｃに対応させている）、図１２（ｃ）には、長い長さのシール９１からなるマーキング８４（樽型メディア１００ｄに対応させている）が、夫々例示されている。
【００７５】
また、マーキング８４は、ディスクトレイ７０にアダプタ８０が取り付けられた状態において、ディスクトレイ７０の副走査方向のうち、該ディスクトレイ７０の搬入側に位置しているのが好ましい。該マーキング８４の光学センサ２７による認識時間の短縮が図れるためである。
【００７６】
また、マーキング８４は、円盤状の本体部８１の径方向中心から、半径４ｃｍ以上（好ましくは、半径５ｃｍ以上）離間した部分に存在する方が良い。かかる位置にマーキング８４が存在する場合、マーキング８４が設けられている位置を固定化することができる。すなわち、上述の半径４ｃｍ以内の範囲内にマーキング８４を設ける場合、嵌合部８３のタイプ（記録媒体１００のタイプ）によっては、マーキング８４が嵌合部８３に差し掛かってしまうケースがある。しかしながら、上述の半径４ｃｍ以上離間した部分にマーキング８４を設ける場合には、嵌合部８３（アダプタ８０）のタイプによらずに、マーキング８４が存在する位置を固定化することができる。
【００７７】
図１３は、記録媒体１００のうち、大円盤メディア１００ａの詳細な構成例を示す図である。この図に示すように、大円盤メディア１００ａは、白色等の部材が塗布されると共に、印刷が為される印刷面としてのレーベル面１０１、図示せぬメディア再生及び／又は記録装置に装着された場合に、チャック部が圧着される透明部１０２、およびメディア再生及び／又は記録装置の回転軸（不図示）が挿入される中心孔１０３を有している。なお、レーベル面１０１は、インクの浸透を受容する受容層によって構成され、受容層の下には情報を光学的に記録するための記録層が形成されている。
【００７８】
また、図３に示す小円盤メディア１００ｂ、図４に示す名刺型メディア１００ｃおよび図５に示す樽型メディア１００ｄの構成も、図１３に示す大円盤メディア１００ａと同様の構成である。しかしながら、図１３に示す大円盤メディア１００ａの直径は、一般には１２ｃｍであるのに対して、小円盤メディア１００ｂの直径は、一般には８ｃｍである。
【００７９】
また、図４に示す名刺型メディア１００ｃは、略矩形の形状を有し、名刺のサイズとほぼ同じサイズを有している。さらに、図５に示す樽型メディア１００ｄは、略樽型の形状を有している。この樽型メディア１００ｄは、名刺型メディア１００ｃの長手と同じサイズの直径の円弧からなる円弧縁部１０３ａと、名刺型メディア１００ｃの短手と同じサイズの直径の直線からなる直線縁部１０３ｂとを有している。しかしながら、樽型メディア１００ｄの中には、円弧縁部１０３ａのサイズが８ｃｍの小円盤メディア１００ｂと同じ程度のものがある。そのサイズは名刺型メディア１００ｃの長手と同じサイズには限定されない。また、名刺型メディア１００ｃのサイズも、上述のように名刺に対応したサイズに限定されない。
【００８０】
なお、本実施の形態では、記録媒体１００ａ，１００ｂ，１００ｃ，１００ｄを総称するときは、単に記録媒体１００として、説明する。
【００８１】
また、図３〜図５および図１３に示す記録媒体１００としては、印刷が為されるレーベル面１０１を有するものであれば、どのようなものでも良い。代表的なものとしては、例えばＣＤ−Ｒ（Ｃｏｍｐａｃｔ  Ｄｉｓｋ−Ｒｅｃｏｒｄａｂｌｅ）、ＣＤ−ＲＷ（Ｃｏｍｐａｃｔ  Ｄｉｓｋ−ＲｅＷｒｉｔａｂｌｅ）、ＤＶＤ−Ｒ（Ｄｉｇｉｔａｌ  Ｖｅｒｓａｔｉｌｅ  Ｄｉｓｋ−Ｒｅｃｏｒｄａｂｌｅ）、ＤＶＤ−ＲＷ（Ｄｉｇｉｔａｌ  Ｖｅｒｓａｔｉｌｅ  Ｄｉｓｋ−ＲｅＷｒｉｔａｂｌｅ）、ＤＶＤ−ＲＡＭ（Ｄｉｇｉｔａｌ  Ｖｅｒｓａｔｉｌｅ  Ｄｉｓｋ  Ｒａｎｄｏｍ  Ａｃｃｅｓｓ  Ｍｅｍｏｒｙ）等といった光ディスクがある。
【００８２】
また、記録媒体１００としては、印刷が為されるレーベル面１０１を有すると共に、アダプタ８０を用いることができれば、光ディスク以外の他の形式の記録媒体１００であっても良い。その例としては、テレホンカード、イオカード（登録商標）等の磁気カード、ＭＯ等の光磁気ディスク等が挙げられる。
【００８３】
図１４は、印刷用コンピュータシステム１０中の制御回路５０を中心としたプリンタ２０の構成を示すブロック図である。この図１４に示すように、制御回路５０は、ＣＰＵ（Ｃｅｎｔｒａｌ  Ｐｒｏｃｅｓｓｉｎｇ  Ｕｎｉｔ）５１、プログラマブルＲＯＭ（Ｐ−ＲＯＭ（Ｒｅａｄ  Ｏｎｌｙ  Ｍｅｍｏｒｙ））５２、ＲＡＭ（Ｒａｎｄｏｍ  Ａｃｃｅｓｓ  Ｍｅｍｏｒｙ）５３、文字のドットマトリクスを記憶したキャラクタジェネレータ（ＣＧ（Ｃｈａｒａｃｔｅｒ  Ｇｅｎｅｒａｔｏｒ））５４、およびＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）５５を備えた算術論理演算回路である。
【００８４】
この制御回路５０は、さらに、外部のモータ等とのインタフェース（Ｉ／Ｆ（Ｉｎｔｅｒｆａｃｅ））であるＩ／Ｆ専用回路６０と、このＩ／Ｆ専用回路６０に接続され印刷ヘッドユニット３０を駆動してインクを吐出させるヘッド駆動回路６２と、紙送りモータ２１およびキャリッジモータ２２を駆動するモータ駆動回路６３とを備えている。
【００８５】
Ｉ／Ｆ専用回路６０は、パラレルインタフェース回路を内蔵しており、コネクタ６１を介してコンピュータ１１０から供給される印刷信号ＰＳを受け取ることができる。また、制御回路５０には、信号線であるバス６４が設けられている。バス６４は、ＣＰＵ５１、Ｐ−ＲＯＭ５２、ＲＡＭ５３、ＣＧ５４、ＥＥＰＲＯＭ５５、Ｉ／Ｆ専用回路６０を相互に接続し、これらの間でデータの授受を可能とする信号線である。
【００８６】
次に、コンピュータ１１０の構成について、図１５を参照しつつ説明する。
【００８７】
図１５に示すように、コンピュータ１１０は、ＣＰＵ１１１、ＲＯＭ１１２、ＲＡＭ１１３、ＨＤＤ（Ｈａｒｄ  Ｄｉｓｋ  Ｄｒｉｖｅ）１１４、ビデオ回路１１５、Ｉ／Ｆ１１６、バス１１７、表示装置１１８、入力装置１１９および外部記憶装置１２０によって構成されている。
【００８８】
ここで、ＣＰＵ１１１は、ＲＯＭ１１２およびＨＤＤ１１４に格納されているプログラムに従って各種演算処理を実行するとともに、装置の各部を制御する制御部である。
【００８９】
ＲＯＭ１１２は、ＣＰＵ１１１が実行する基本的なプログラムやデータを格納しているメモリである。ＲＡＭ１１３は、ＣＰＵ１１１が実行途中のプログラムあるいは、演算途中のデータ等を一時的に格納するメモリである。
【００９０】
ＨＤＤ１１４は、ＣＰＵ１１１からの要求に応じて、記録媒体１００であるハードディスクに記録されているデータあるいはプログラムを読み出すとともに、ＣＰＵ１１１の演算処理の結果として発生したデータを前述したハードディスクに記録する記録装置である。
【００９１】
ビデオ回路１１５は、ＣＰＵ１１１から供給された描画命令に応じて描画処理を実行し、得られた画像データを映像信号に変換して表示装置１１８に出力する回路である。Ｉ／Ｆ１１６は、入力装置１１９および外部記憶装置１２０から出力された信号の表現形式を適宜変換するとともに、プリンタ２０に対して印刷信号ＰＳを出力する回路である。
【００９２】
バス１１７は、ＣＰＵ１１１、ＲＯＭ１１２、ＲＡＭ１１３、ＨＤＤ１１４、ビデオ回路１１５およびＩ／Ｆ１１６を相互に接続し、これらの間でデータの授受を可能とする信号線である。
【００９３】
表示装置１１８は、例えば、ＬＣＤ（Ｌｉｑｕｉｄ  Ｃｒｙｓｔａｌ  Ｄｉｓｐｌａｙ）モニタあるいはＣＲＴ（Ｃａｔｈｏｄｅ  Ｒａｙ  Ｔｕｂｅ）モニタによって構成され、ビデオ回路１１５から出力された映像信号に応じた画像を表示する装置である。取得手段の一部である入力装置１１９は、例えば、キーボードあるいはマウスによって構成されており、ユーザの操作に応じた信号を生成して、これをＩ／Ｆ１１６に供給する装置である。
【００９４】
外部記憶装置１２０は、例えば、ＣＤ−ＲＯＭ（Ｃｏｍｐａｃｔ  Ｄｉｓｋ−ＲＯＭ）ドライブユニット、ＭＯ（Ｍａｇｎｅｔｏ  Ｏｐｔｉｃ）ドライブユニット、ＦＤＤ（Ｆｌｅｘｉｂｌｅ  Ｄｉｓｋ  Ｄｒｉｖｅ）ユニットによって構成され、ＣＤ−ＲＯＭディスク、ＭＯディスク、ＦＤに記録されているデータあるいはプログラムを読み出して、これをＣＰＵ１１１に供給する装置である。また、外部記憶装置１２０がＭＯドライブユニットおよびＦＤＤユニットである場合には、ＣＰＵ１１１から供給されたデータは、ＭＯディスクまたはＦＤに記録される。
【００９５】
次に、以上の実施の形態の動作について、図１６に示すフローチャートを参照して説明する。
【００９６】
記録媒体１００に所定の情報（例えば、画像情報、テキスト情報等）を印刷する場合、ユーザは、コンピュータ１１０の入力装置１１９を操作して、印刷する情報を生成するためのアプリケーションプログラムを起動させる。その結果、コンピュータ１１０では、ＣＰＵ１１１がＨＤＤ１１４に格納されている所定のアプリケーションプログラムを起動する。そして、ユーザは、起動されたアプリケーションプログラムを用いて、記録媒体１００のレーベル面１０１に印刷しようとする画像情報やテキスト情報を生成する。
【００９７】
印刷しようとする情報が完成した場合には、まず、記録媒体１００をディスクトレイ７０に対して固定する。ここで、記録媒体１００が大円盤メディア１００ａの場合には、この大円盤メディア１００ａはディスクトレイ７０に直接嵌入される。また、記録媒体１００が大円盤メディア１００ａ以外のタイプ（小円盤メディア１００ｂ、名刺型メディア１００ｃ、樽型メディア１００ｄ等）である場合には、まずアダプタ８０をディスクトレイ７０の窪み部７２に嵌め込む。この嵌め込みにおいては、マーキング８４が、ディスクトレイ７０において適切な配置となるように注意して、位置決め突起８２を位置決め凹部７４に嵌め込む。
【００９８】
次に、アダプタ８０（嵌合部８３）に対応するタイプの記録媒体１００が、嵌合部８３に嵌め込まれる。この嵌合部８３への嵌め込みにより、大円盤メディア１００ａ以外のタイプ（小円盤メディア１００ｂ、名刺型メディア１００ｃ、樽型メディア１００ｄ等）の記録媒体１００が、アダプタ８０を介してディスクトレイ７０に載置される。この結果、記録媒体１００は、ディスクトレイ７０に対して、ずれない状態におかれる。
【００９９】
この後に、ユーザはディスクトレイ７０を把持し、プリンタ２０の前面または背面からこのディスクトレイ７０を挿入する。そして、アプリケーションプログラムの印刷コマンドを実行することにより、印刷が開始される。
【０１００】
印刷コマンドが実行されると、ＣＰＵ１１１は、ＨＤＤ１１４に格納されているプリンタ２０用のドライバソフト（以下、「ドライバソフト」と称する）に対して印刷指令を供給する。ドライバソフトは、ＣＰＵ１１１から供給された印刷指令を受け付け、記録媒体１００に対する印刷指令がなされていることを認知する。以後、図１６に示すフローチャートに示す処理が実行される。
【０１０１】
図１６は、印刷用コンピュータシステム１０において記録媒体１００に情報を印刷する際に実行される処理の一例を説明するフローチャートである。この図１６に示すフローチャートが開始されると、以下のステップが実行される。
【０１０２】
ステップＳ１０：制御回路５０のＣＰＵ５１は、紙送りモータ２１を駆動して紙送りローラ２３を回転させ、ディスクトレイ７０を装置内部へ吸引する。
【０１０３】
ステップＳ１１：ＣＰＵ５１は、紙送りローラ２３をさらに回転させ、ディスクトレイ７０を所定の位置まで移動させる。具体的には、ＣＰＵ５１は、紙送りモータ２１を駆動し、ディスクトレイ７０を所定量だけ移動させ、副走査方向においてマーキング８４があると想定される位置が、光学センサ２７の直下に来るようにする。
【０１０４】
ステップＳ１２：ＣＰＵ５１は、キャリッジ３１を所定の位置まで移動させる。具体的には、ＣＰＵ５１は、キャリッジモータ２２を駆動し、キャリッジ３１の光学センサ２９を、主走査方向においてマーキング８４があると想定される位置まで移動させる。
【０１０５】
ステップＳ１３：ＣＰＵ５１は、キャリッジモータ２２を駆動して、光学センサ２７によりマーキング８４があると想定される範囲を走査して、マーキング８４の読み取りを試みる（取得ステップの一部に対応）。
【０１０６】
ステップＳ１４：ＣＰＵ５１は、マーキング８４の読み取りに成功したか否かを判定する（取得ステップの一部に対応）。その結果、マーキング８４を読み取ることができなかった場合には、ＣＰＵ５１は、記録媒体１００が大円盤メディア１００ａであると判断し、ステップＳ１６を実行する。また、マーキング８４を読み取ることができた場合には、ＣＰＵ５１は、ステップＳ１５を実行する。
【０１０７】
なお、マーキング８４を読み取ることができないときは、読み取りエラーのケースも考えられる。そのため、記録媒体１００が大円盤メディア１００ａであると判断される場合、例えば表示装置１１８に、記録媒体１００が大円盤メディア１００ａである旨の確認メッセージを表示させるようにするのが好ましい。
【０１０８】
ステップＳ１５：ＣＰＵ５１は、読み取られたマーキング８４に基づいて、アダプタ８０のタイプ（記録媒体１００のタイプ）を判断する（取得ステップの一部に対応）。ここで、Ｐ−ＲＯＭ５２には、予めマーキング８４の種類に対応したマーキング情報が記憶されている。また、Ｐ−ＲＯＭ５２には、マーキング情報に基づいて、読み取られたマーキング８４の種類を判断するための判断プログラムが記憶されている。そのため、読み取ったマーキング８４の種類を判断する際には、これらマーキング情報、および判断プログラムがＰ−ＲＯＭ５２から引き出され、ＲＡＭ５３に一時的に記憶される。
【０１０９】
次に、ＣＰＵ５１は、判断プログラムに基づいて、読み取られたマーキング８４が、いずれのマーキング情報に対応するかを判断（選択）する。それにより、アダプタ８０のタイプ（記録媒体１００のタイプ）が判断される。
【０１１０】
なお、読み取られたマーキング８４が、バーコード８７である場合には、ＣＰＵ５１は、バーコード８７を読み取ったバーコード情報のパリティを計算し（例えば、全ての情報をビット単位で加算し）、当該パリティと、バーコード８７に対応したマーキング情報に格納されているパリティとを比較し、これらが一致するか否かにより、読み取りに成功したか否かを判定する。その結果、読み取りに成功した場合にはステップＳ１６に進み、それ以外の場合にはステップＳ１３に戻って同様の処理を繰り返す（図示省略）。
【０１１１】
ステップＳ１６：ＣＰＵ５１は、ステップＳ１４およびステップＳ１５において判断された記録媒体１００のタイプに関する情報を、コンピュータ１１０に送信する。コンピュータ１１０側では、送信されてきた記録媒体１００のタイプに関する情報を、ＲＡＭ１１３に一時的に記憶させる。
【０１１２】
ステップＳ１７：ＣＰＵ１１１は、ＲＡＭ１１３に記憶されている記録媒体１００のタイプに関する情報を、ドライバソフトに提供する。
【０１１３】
ステップＳ１８：ＣＰＵ１１１は、ドライバソフトに供給された記録媒体１００のタイプに関する情報に基づいて、ドライバソフトにおいて現在選択されている記録媒体１００のタイプと、光学センサによる読み取り結果から判断された記録媒体１００のタイプとが符合するか否かを、判断する。
【０１１４】
ステップＳ１９：ステップＳ１８の判断において、現在選択されている記録媒体１００のタイプと、光学センサ２７による読み取り結果から判断された記録媒体１００のタイプとが符合しない場合には、コンピュータ１１０は、その表示装置１１８にサイズ不一致のエラーメッセージを表示させる。一方、符合する場合には、次のステップＳ２０に進む。
【０１１５】
なお、ＣＰＵ１１１は、タイプ不一致の場合にエラーメッセージを表示装置１１８に表示させずに、ドライバソフトで現在選択されている記録媒体１００のタイプを、自動的に修正するようにしても良い。このような自動修正を行う場合には、該自動修正を行った旨を告げるメッセージを、表示装置１１８に表示させるようにするのが好ましい。
【０１１６】
ステップＳ２０：ＣＰＵ１１１は、アプリケーションプログラムによって作成された記録情報を、ドライバソフトに供給する。ドライバソフトでは、予め設定された設定値に応じて、例えば、ＲＧＢからＭＣＹＫへの変換が行われるとともに、上述の記録情報が各色のインクの吐出量を示す情報（印刷情報という。）に変換される。
【０１１７】
ステップＳ２１：ＣＰＵ１１１は、ステップＳ２０において作成された印刷情報を、プリンタ２０側に送信する。
【０１１８】
ステップＳ２２：ＣＰＵ５１は、ステップＳ２１によって送信されてきた印刷情報を、受信する。そして、制御回路５０においては、送信されてきた印刷情報を、ＲＡＭ５３に一時的に記憶させる。
【０１１９】
ステップＳ２３：プリンタ２０は、ＣＰＵ５１が受信した情報に応じて印刷処理を実行する（印刷ステップに対応）。すなわち、ＣＰＵ５１は、マーキング８４を読み取った直後の状態にあるキャリッジ３１を、例えば、ホームポジション（不図示）に移動させるとともに、ディスクトレイ７０を下方向に移動させて記録媒体１００の上端部が印刷用ヘッド３２の直下に来るようにする。
【０１２０】
次に、ＣＰＵ５１は、キャリッジモータ２２を駆動して、印刷用ヘッド３２を記録媒体１００のレーベル面１０１の上端部の右端まで移動させる。次に、ヘッド駆動回路６２は、印刷しようとするデータを印刷用ヘッド３２に供給し、所定の色のインクを吐出させるとともに、主走査方向にキャリッジ３１を移動させつつ、紙送りモータ２１によりディスクトレイ７０を副走査方向に順次移動させる。このような動作を繰り返すことにより、コンピュータ１１０から供給された情報をレーベル面１０１に印刷することができる。
【０１２１】
このような構成のプリンタ２０、アダプタ８０および各種プログラムを有する印刷用コンピュータシステム１０によれば、マーキング８４を読み取ることにより、嵌合部８３に嵌め込まれる記録媒体１００のタイプを認識可能となる。すなわち、プリンタ２０側で記録媒体１００のタイプに関する情報を取得することができる。このため、プリンタ２０は、記録媒体１００のタイプに関する情報を用いて、レーベル面１０１に対して適切な印刷を実行することが可能となる。
【０１２２】
また、アダプタ８０には、大円盤メディア１００ａ以外の記録媒体１００を嵌め込む嵌合部８３と、位置決め凹部７４に嵌め込まれる位置決め突起８２とが設けられている。このため、アダプタ８０をディスクトレイ７０に嵌め込むと、位置決め突起８２が位置決め凹部７４に嵌め込まれて、アダプタ８０の窪み部７２の内部における回転が防止される。それにより、該アダプタ８０に存在するマーキング８４の回転が規制され、該マーキング８４の読み取りを確実に行うことができる。また、アダプタ８０の回転防止により、プリンタ２０は、記録媒体１００に対して適切な印刷を実行することができる。
【０１２３】
また、アダプタ８０の回転防止により、マーキング８４の位置を、定位置化することができる。アダプタ８０においてマーキング８４が存在する位置を定位置化すれば、ディスクトレイ７０の送り量を、アダプタ８０のタイプによらずに、一定にすることができる。そのため、マーキング８４の光学センサ２７による走査に際して、ディスクトレイ７０の移動量を小さくすることができ、該マーキング８４の走査に時間がかからない。そのため、印刷時間の短縮が図ることができる。
【０１２４】
さらに、本実施の形態では、情報記録部は、アダプタ８０の他の部分と区別可能なマーキング８４から構成されている。このため、マーキング８４がアダプタ８０の他の部分と簡単に区別できる。また、情報記録部の構成は、簡単な構成となる。また、マーキング８４が存在することによって、アダプタ８０のタイプ（対応する記録媒体１００のタイプ）が簡単に判別可能となる。
【０１２５】
なお、アダプタ８０を記録媒体１００を製造するメーカの専用品とする場合には、マーキング８４が、記録媒体１００の印刷のための最適な情報（例えば、ホワイトバランス情報、乾燥速度情報、ＬＵＴ（ルックアップテーブル）情報等）を有する構成にすることができる。この場合、記録媒体１００には、最適な状態で印刷させることができる。
【０１２６】
ここで、ＬＵＴ情報は、ドライバソフトがＲＧＢ（Ｒｅｄ，  Ｇｒｅｅｎ，  Ｂｌｕｅ）情報をＣＭＹＫ（Ｃｙａｎ，  Ｍａｇｅｎｔａ，  Ｙｅｌｌｏｗ，  Ｂｌａｃｋ）およびそのライト系の情報（Ｌｉｇｈｔ  Ｍａｇｅｎｔａ，  Ｌｉｇｈｔ  Ｃｙａｎ，  Ｄａｒｋ  Ｙｅｌｌｏｗ）に変換する際に、各インクの色の階調を、インク量（インクの吐出量）に変換する際に参照されるテーブルである。
【０１２７】
また、マーキング８４以外の部分と着色が異なる塗布部８５を有する構成としたときは、着色によって塗布部８５を形成するだけでマーキング８４となる。そのため、簡単にマーキング８４を形成することができる。また、マーキング８４が簡単な構成となる。
【０１２８】
さらに、塗布部８５の個数によって、アダプタ８０および記録媒体１００のタイプを認識する構成を採用すると、嵌め込まれる記録媒体１００のタイプの認識が単純となる。特に、光学センサ２７として、フォトダイオードを用いている場合には、このような塗布部８５の個数によるタイプ認識が有効となる。また、ユーザが塗布部８５の個数を数えることもでき、ユーザの視認によっても嵌合部８３に嵌め込まれる記録媒体１００のタイプを認識することができる。
【０１２９】
また、マーキング８４が、リング状の塗布部８６から構成されている場合、該塗布部８６の個数によって、嵌合部８３に嵌め込まれる記録媒体１００のタイプが認識される。また、このようにした場合には、光学センサ２７がプリンタ２０の主走査方向、および副走査方向のいずれの方向に移動した場合でも、マーキング８４を読み取ることができる。そのため、走査方向によらずに、記録媒体１００のタイプを認識可能となる。
【０１３０】
さらに、マーキング８４がパンチ部８８から構成されている場合には、アダプタ８０に対する簡単な加工でマーキング８４を形成することができる。また、マーキング８４が一層簡単な構成となる。さらに、ユーザがパンチ部８８を視認することもでき、この視認によっても嵌合部８３に嵌め込まれる記録媒体１００のタイプを認識することができる。
【０１３１】
また、マーキング８４がバーコード８７から構成されている場合には、このマーキング８４が、嵌め込まれる記録媒体１００のタイプに関する情報、位置決め突起８２に対する嵌合部の位置（角度）情報、およびアダプタ８０の種類／製造元に関する情報等、種々の情報を記憶させることができる。
【０１３２】
さらに、嵌合部８３は、小円盤メディア１００ｂ、名刺型メディア１００ｃ、および樽型メディア１００ｄのいずれか１つに対応している。このように、アダプタ８０が、いずれか１つのタイプの記録媒体１００に対応していると、当該タイプの記録媒体１００のみをディスクトレイ７０上に載置させることができる。そのため、記録媒体１００の載置ミスを防止でき、当該ミスによって記録媒体１００が無駄になる、という不具合を解消可能となる。また、いずれか１つの記録媒体１００に対応するアダプタ８０には、その記録媒体１００に対応するマーキング８４が施されているので、載置ミスによって記録媒体１００が無駄になる、という不具合は確実に防止可能となる。
【０１３３】
また、プリンタ２０の光学センサ２７によって読み取られたマーキング８４に基づいて、制御回路５０は、アダプタ８０のタイプ（記録媒体１００のタイプ）を判断している。次に、このアダプタ８０のタイプ（記録媒体１００のタイプ）に関する情報は、制御回路５０を介してコンピュータ１１０に送信される。それにより、コンピュータ１１０側では、記録媒体１００のタイプに応じた、適切な印刷条件を設定することができる。
【０１３４】
また、コンピュータ１１０側で作成された印刷情報は、制御回路５０で受信される。そして、この印刷情報に基づいて、プリンタ２０を作動させれば、記録媒体１００のタイプに応じた適切な印刷を実行させることができる。
【０１３５】
また、コンピュータ１１０側では、記録媒体１００のタイプに関する情報を、第２の受信手段として機能して受信し、さらに判別手段、印刷情報作成手段、第２の送信手段として機能する。そのため、記録媒体１００のタイプに関する情報と、記録媒体１００のタイプに関する設定情報とが一致するか否かを判別し、該コンピュータ１１０における設定情報を、一致しない場合には、適切な設定に修正するか、またはエラーメッセージを表示させることができる。それによって、プリンタ２０においては、記録媒体１００のタイプの選択ミスによる、誤った印刷が実行されるのを防止可能となる。
【０１３６】
また、コンピュータ１１０が印刷情報作成手段として機能することにより、記録媒体１００のタイプに応じた適切な印刷情報を作成することが可能となる。
【０１３７】
また、円形凹部７３は、その外径が記録媒体１００のうち大円盤メディア１００ａに対応している。このため、大円盤メディア１００ａのレーベル面１０１に印刷を行う場合には、アダプタ８０を用いずに印刷させることができる。現状では、大円盤メディア１００ａが最も多く用いられていることから、ユーザ側にとっての利便性は向上する。
【０１３８】
さらに、光学センサ２７を用いることによって、マーキング８４を簡単に認識することができる。特に、マーキング８４が存在すると想定される部位を、光学センサ２７が走査することにより、該マーキング８４を確実に読み取ることができる。
【０１３９】
また、コンピュータプログラムが、制御回路５０において読み込まれることによって、この制御回路５０は、光学センサ２７を含む取得手段、送信手段、受信手段、および印刷手段として機能する。それにより、マーキング８４に記録されている、記録媒体１００のタイプに関する情報を、光学センサ２７の読み取りによって取得する動作が実現される。このため、記録媒体１００のタイプを判別可能となる。
【０１４０】
また、送信手段は、取得された記録媒体１００のタイプに関する情報をコンピュータ１１０側に送信する動作を行う。それにより、コンピュータ１１０側では、記録媒体１００のタイプに応じた、適切な印刷条件を設定することができる。さらに、受信手段は、コンピュータ１１０側で作成された印刷情報を受信する動作を行う。印刷手段は、受信された印刷情報に基づいて、記録媒体１００のタイプに応じた適切な印刷を行うことが可能である。
【０１４１】
以上、本発明の一実施の形態について説明したが、本発明はこれ以外にも種々変形実施可能である。
【０１４２】
上述の実施の形態においては、マーキング８４がアダプタ８０に設けられている場合について説明したが、マーキングは、ディスクトレイ７０に設けられていても良い。この場合には、上述の実施の形態では設けることができなかった、大円盤メディア１００ａに対応したマーキングを設けることができる。すなわち、全種類の記録媒体１００に対応したマーキングを、ディスクトレイ７０に設けることが可能となる。
【０１４３】
なお、ディスクトレイ７０側にマーキングを設ける場合には、該ディスクトレイ７０に長孔を形成し、この長孔に、該ディスクトレイ７０の他の部分と色彩が異なる、細長い矩形の塗布部を有するスライド部材を、スライド自在な状態で差し込んでおく。そして、このスライド部材のスライド量に応じて、長孔から露出する矩形の塗布部の個数が変化するようにしておく。すると、ユーザが記録媒体１００のタイプに応じてスライド部材をスライドさせ、光学センサ２７によってこのスライド部材を読み取れば、上述と同様に、記録媒体１００のタイプを判別することが可能となる。
【０１４４】
また、上述の実施の形態以外の情報記録部として、アダプタ８０に磁気材質を塗布したマーキングを設け、光学センサ２７の代わりに磁気センサを用いても良い。磁気センサを用いる場合には、マーキング８４の読み取り方式は、磁気ヘッドと同様の接触式の読み取り方式となる。なお、この場合、磁気センサは、取得手段の一部を構成するものである。このように、取得手段は、光学センサ２７に限られない。
【０１４５】
また、上述の実施の形態におけるアダプタ８０において、マーキング８４をアダプタ８０の表裏両面に設けるようにしても良い。さらに、ディスクトレイ７０の円形凹部７３の直径を、大円盤メディア１００ａの外径よりも大きくしても良い。この場合には、円形凹部７３に大円盤メディア１００ａを嵌め込む際にも、アダプタを用いることになる。そして、このアダプタに、大円盤メディア１００ａに対応したマーキング８４を設ければ良い。
【０１４６】
また、上述の実施の形態では、アダプタ８０の嵌合部８３は、いずれか１つのタイプの記録媒体１００に対応している場合について説明している。しかしながら、嵌合部８３は、複数のタイプの記録媒体１００に対応していても良い。すなわち、嵌合部８３は、タイプの異なる複数の記録媒体１００の嵌め込みに、対応する構成となっていても良い。
【０１４７】
さらに、上述の実施の形態では、プリンタ２０が、コンピュータ１１０に接続されている場合について説明している。しかしながら、プリンタ２０は、コンピュータ１１０と接続されずに、いわゆるスタンドアローンの状態で、印刷を行える構成であっても良い。この場合、上述の実施の形態で述べたような、コンピュータ１１０側のＨＤＤ１１４に格納されているドライバソフトは、例えば制御回路５０のＥＥＲＯＭ５５に記憶された状態となる。また、プリンタ２０の制御回路５０は、送信手段の一部、および受信手段の一部としては機能しないが、印刷情報作成手段の一部として機能する。このようにすれば、プリンタ２０がスタンドアローン状態でも、記録媒体１００に対して、上述のような印刷を行える。
【０１４８】
【発明の効果】
以上説明したように、本発明によると、記録媒体のサイズの選択ミスを防止することが可能となる。
【図面の簡単な説明】
【図１】本発明の一実施の形態に係るプリンタおよび印刷用コンピュータシステムの概略構成を示す図である。
【図２】図１に示すプリンタでの印刷時に使用されるディスクトレイの形状を示す平面図である。
【図３】図１のプリンタでの印刷時に、図２に示すディスクトレイに嵌め込まれる小円盤メディアに対応したアダプタの形状、および小円盤メディアの形状を示す平面図である。
【図４】図１のプリンタでの印刷時に、図２に示すディスクトレイに嵌め込まれる名刺型メディアに対応したアダプタの形状、および名刺型メディアの形状を示す平面図である。
【図５】図１のプリンタでの印刷時に、図２に示すディスクトレイに嵌め込まれる樽型メディアに対応したアダプタの形状、および樽型メディアの形状を示す平面図である。
【図６】図１のプリンタでの印刷時に、記録媒体のタイプの判別をする際に用いられるマーキングを示す図であり、（ａ）はマーキングが細長い矩形の１つの塗布部から構成される場合、（ｂ）はマーキングが細長い矩形の２つの塗布部から構成される場合、（ｃ）はマーキングが細長い矩形の３つの塗布部から構成される場合を示す。
【図７】図１のプリンタでの印刷時に、記録媒体のタイプの判別をする際に用いられるマーキングを示す図であり、（ａ）はマーキングがリング状の１つの塗布部から構成される場合、（ｂ）はマーキングがリング状の２つの塗布部から構成される場合、（ｃ）はマーキングがリング状の３つの塗布部から構成される場合を示す。
【図８】図１のプリンタでの印刷時に、記録媒体のタイプの判別をする際に用いられるマーキングを示す図であり、マーキングがバーコードから構成される場合を示す。
【図９】図１のプリンタでの印刷時に、記録媒体のタイプの判別をする際に用いられるマーキングを示す図であり、（ａ）はマーキングが１つのパンチ部から構成される場合、（ｂ）はマーキングが２つのパンチ部から構成される場合、（ｃ）はマーキングが３つのパンチ部から構成される場合を示す。
【図１０】図１のプリンタでの印刷時に、記録媒体のタイプの判別をする際に用いられるマーキングを示す図であり、（ａ）はマーキングが１つの「Ａ」の文字から構成される場合、（ｂ）はマーキングが２つの「Ａ」の文字から構成される場合、（ｃ）はマーキングが３つの「Ａ」の文字から構成される場合を示す。
【図１１】図１のプリンタでの印刷時に、記録媒体のタイプの判別をする際に用いられるマーキングを示す図であり、（ａ）はマーキングが円形の図形から構成される場合、（ｂ）はマーキングが三角形の図形から構成される場合、（ｃ）はマーキングが四角形の図形から構成される場合を示す。
【図１２】図１のプリンタでの印刷時に、記録媒体のタイプの判別をする際に用いられるマーキングを示す図であり、（ａ）はマーキングが短い長さのシールから構成される場合、（ｂ）はマーキングが中間の長さのシールから構成される場合、（ｃ）はマーキングが長い長さのシールから構成される場合を示す。
【図１３】図１のプリンタでの印刷時に、図２に示すディスクトレイに嵌め込まれる大円盤メディアの形状を示す平面図である。
【図１４】図１に示す印刷用コンピュータシステム中の制御回路を中心としたプリンタの構成を示すブロック図である。
【図１５】図１に示す印刷用コンピュータシステム中のコンピュータの詳細な構成を示すブロック図である。
【図１６】図１に示す印刷用コンピュータシステムにおいて記録媒体に情報を印刷する際に実行される処理の一例を説明するフローチャートである。
【符号の説明】
１０…印刷用コンピュータシステム
２０…プリンタ（印刷装置）
２７…光学センサ（取得手段の一部）
５０…制御回路（印刷手段の一部、取得手段の一部、送信手段の一部、受信手段の一部）
７０…ディスクトレイ（送りガイド部材の一部）
７１…本体部
７２…窪み部
７３…円形凹部
７４…位置決め凹部
８０…アダプタ（送りガイド部材の一部）
８１…本体部
８２…位置決め突起
８３…嵌合部
８４…マーキング（情報記録部）
８５，８６…塗布部（情報記録部の構成要素）
８７…バーコード（情報記録部の構成要素）
８８…パンチ部（情報記録部の構成要素）
８９…文字（情報記録部の構成要素）
９０…図形（情報記録部の構成要素）
９１…シール（情報記録部の構成要素）
１００…記録媒体
１００ａ…大円盤メディア（記録媒体のタイプの１つ）
１００ｂ…小円盤メディア（記録媒体のタイプの１つ）
１００ｃ…名刺型メディア（記録媒体のタイプの１つ）
１００ｄ…樽型メディア（記録媒体のタイプの１つ）
１０１…レーベル面（印刷面）
１１０…コンピュータ（第２の受信手段、判別手段、印刷情報作成手段、第２の送信手段の一部）
１１９…入力装置（取得手段の一部）
【図１】
2004338338.tif 000003
【図２】
2004338338.tif 000004
【図３】
2004338338.tif 000005
【図４】
2004338338.tif 000006
【図５】
2004338338.tif 000007
【図６】
2004338338.tif 000008
【図７】
2004338338.tif 000009
【図８】
2004338338.tif 000010
【図９】
2004338338.tif 000011
【図１０】
2004338338.tif 000012
【図１１】
2004338338.tif 000013
【図１２】
2004338338.tif 000014
【図１３】
2004338338.tif 000015
【図１４】
2004338338.tif 000016
【図１５】
2004338338.tif 000017
【図１６】
2004338338.tif 000018